(57)【特許請求の範囲】
【請求項１】
少なくとも各エレベータのかごの昇降動作を制御するマスタ制御部と少なくとも乗場呼び又はかご呼びを制御する複数のスレーブ制御部とで構成され、前記マスタ制御部と各スレーブ制御部との間で伝送路を介して制御情報をサイクリックにシリアル伝送するエレベータ伝送システムの情報モニタ装置において、
前記伝送路をサイクリックに伝送されるそれぞれのアドレスとデータとからなる各スレーブ制御部の情報を順次取込み、データ記憶部に全部のスレーブ制御部の情報をサイクル単位で、少なくとも１サイクル分記憶保持し、この記憶保持した各スレーブ制御部の情報を連続表示、ホールド表示の何れか１つの指定された方式で編集して出力する情報取得端末と、
前記情報取得端末に編集方式を指定するとともに、前記情報取得端末から入力された１サイクルに含まれる全部のスレーブ制御部のアドレスとデータとからなる情報の一覧を表示部に表示出力する表示制御装置と
を備えたことを特徴とするエレベータ伝送システムの情報モニタ装置。
【請求項２】
前記表示制御装置は、
前記連続表示による編集方式として、情報の取込開始と情報の取込停止とを前記情報取得端末へ送出し、
情報の取込開始から情報の取込停止までの期間に、前記情報取得端末から順次入力される１サイクル毎の全部のスレーブ制御部のアドレスとデータとからなる情報を前記表示部に連続表示する
ことを特徴とする請求項１記載のエレベータ伝送システムの情報モニタ装置。
【請求項３】
前記表示制御装置は、前記ホールド表示による編集方式として、スレーブ制御部を特定する指定したアドレスに指定したデータが含まれるホールド条件を前記情報取得端末へ送出し、
前記情報取得端末は、ホールド条件に一致するアドレスとデータとの組合せが含まれるサイクルの当該サイクルに含まれる全部のスレーブ制御部の情報を前記表示制御装置へ送出し、
前記表示制御装置は、前記情報取得端末から入力された指定したアドレスに指定したデータが含まれる１サイクルに含まれる全部のスレーブ制御部の情報の一覧を表示部にホールド表示出力する
ことを特徴とする請求項１記載のエレベータ伝送システムの情報モニタ装置。
【請求項４】
前記表示制御装置は、
前記表示部に順次表示される１サイクル毎の全部のスレーブ制御部の情報の一覧からなる表示データを記憶する表示データ保存メモリと、
操作指定されたサイクルの表示データを前記表示データ保存メモリから読出して前記表示部に再表示する表示データ再表示手段とを有する
ことを特徴とする請求項１から３のいずれか１項記載のエレベータ伝送システムの情報モニタ装置。
【請求項５】
前記情報取得端末は、
前記伝送路から取込んだアドレスとデータからなるシリアルの情報をパラレルの情報に変換するシリアル／パラレル変換部と、
このシリアル／パラレル変換部から出力された全部のスレーブ制御部のパラレルの情報をサイクル単位でデータ記憶部に書込むデータ書込部と、
前記データ記憶部から読出した情報を前記表示制御装置が処理しやすいアスキーコードに変換する伝送データ生成部と、
この伝送データ生成部でアスキーコードに変換された情報をシリアルの情報に変換して前記表示制御装置へ送出するパラレル／シリアル変換部とを有する
ことを特徴とする請求項１から４のいずれか１項記載のエレベータ伝送システムの情報モニタ装置。
【発明の詳細な説明】
【技術分野】
【０００１】
本発明は、ビルやマンション等の建屋に設置されたエレベータシステムに係わり、特に、エレベータの制御情報をマスタ制御部と各スレーブ制御部との間でサイクリックにシリアル伝送するエレベータ伝送システムにおいて伝送される情報をモニタするエレベータ伝送システムの情報モニタ装置に関する。
【背景技術】
【０００２】
ビルやマンション等の建屋に設置されたエレベータシステムにおいては、内部にエレベータのかごが上下移動するエレベータ昇降路の上側の機械室内にかごを上下移動させる電動機を含む巻上機と、この巻上機を駆動することによって、エレベータのかごの昇降動作を制御する配電盤に組込まれたマスタ制御部とが設けられている。
【０００３】
さらに、各階のエレベータホールには、乗場呼び釦の釦操作で入力された乗場呼びを制御する乗場呼び用のスレーブ制御部、かご接近表示用ランプの点灯用のスレーブ制御部が設けられている。また、各かご内には、かご呼び釦の釦操作で入力されたかご呼びを制御するかご呼び用のスレーブ制御部、かごの現在位置（現在階）を表示するかごの位置表示器の表示制御用のスレーブ制御部が設けられている。
【０００４】
マスタ制御部は、上述した各スレーブ制御部から入力された乗場呼び、かご呼びに応じて、かごの昇降動作を制御するとともに、各スレーブ制御部へ点灯指令、表示指令を送出する。
【０００５】
この場合、上述したエレベータの制御情報は、マスタ制御部と各スレーブ制御部との間でサイクリックにシリアル伝送される（特許文献１参照）。図１２は、エレベータシステムに組込まれた、エレベータの制御情報をマスタ制御部と各スレーブ制御部との間でサイクリックにシリアル伝送するエレベータ伝送システムの模式図である。
【０００６】
このエレベータ伝送システム４において、マスタ制御部１には例えばＬＡＮの伝送路２を介して複数のスレーブ制御部３が接続されている。各スレーブ制御部３には、それぞれ固有のアドレス５が割付けられている。マスタ制御部１は、伝送路２に対して、図１３に示すように１サイクル（１通信単位、周期Ｔ）内に、全てのスレーブ制御部３のアドレス５とデータ８とからなる情報７が時系列的に設定されている伝送シリアル信号６を出力する。
【０００７】
そして、各スレーブ制御部３は、伝送路２に出力された伝送シリアル信号６の自己のアドレス５に続くデータ領域のデータを自己宛のデータ８として取込む。さらに、各スレーブ制御部３は、マスタ制御部１に自己のデータを送信する場合は、伝送シリアル信号６の自己のアドレス５に続くデータ領域に送信すべきデータ８を書込む。
【０００８】
したがって、マスタ制御部１と各スレーブ制御部３とは、１サイクル（１通信単位、周期Ｔ）毎に、送受信するデータ８を更新できる。
【０００９】
なお、図１２のエレベータ伝送システム４においては、アドレス［００３］Ｈのスレーブ制御部３は伝送路２から外れているので、伝送シリアル信号６における［００３］Ｈのアドレス５の次のデータ領域にはスレーブ制御部３からのデータは欠落している。
【００１０】
新規にエレベータシステムを構築した場合や、エレベータシステムの定期点検時や、故障発生時には、図１２のエレベータ伝送システム４において、マスタ制御部１と各スレーブ制御部３との間で伝送路２を介して正しく制御情報が送受信されていることを確認するする必要がある。
【００１１】
図１４は、エレベータ伝送システム４の伝送路２上に出力された伝送シリアル信号６をモニタする情報モニタ装置９を伝送路２にプローブ１１を介して接続した図である。この情報モニタ装置９においては、アドレス設定部１２で観測したいスレーブ制御部３のアドレス５を指定すると、図１５に示す伝送シリアル信号６における該当アドレス５とこのアドレス５に続くデータ領域のデータ８からなる該当スレーブ制御部３の情報７が抽出されて表示部１３に表示出力される。
【００１２】
例えば、情報モニタ装置９において、アドレス指定を［００２］Ｈにすると、伝送シリアル信号６における信号波形から［００２］Ｈに対応する波形を特定し、この波形に続くデータ領域の波形を［ＢＢ］Ｈのデータ８と認識して、この［ＢＢ］Ｈのデータ８を表示部１３に表示出力する。
【特許文献１】特開２００３―８１５４６号公報
【発明の開示】
【発明が解決しようとする課題】
【００１３】
しかしながら、図１４に示す情報モニタ装置９においても、まだ解消すべき次のような課題があった。図１４に示す情報モニタ装置９で伝送路２上に出力された伝送シリアル信号６における確認できる情報７は、破線で囲んでいる１つのスレーブ制御部３のアドレス５とデータ８からなる１つの情報７のみである。言い換えれば、全てのスレーブ制御部３の情報を含む伝送シリアル信号６における１つのスレーブ制御部３の情報７のみしかモニタできない。したがって、故障発生時における故障原因の究明に長時間を必要とし、エレベータの利用客に不便を強いることになる。
【００１４】
また、上述したように、エレベータシステムに対する故障診断やエレベータの調整時に、少なくとも伝送路２に流れる伝送シリアル信号６の１サイクルに含まれる全てのスレーブ制御部３の情報７を同時に確認することが必要である。例えば、稀に発生する故障時の伝送状況を確認する場合、特定のスレーブ制御部３のデータ８が変化した時に、この時点における全てのスレーブ制御部３のデータ８を保持して確認する必要がある。しかし、図１４に示す情報モニタ装置９ではそれが不可能であった。そのため、故障原因追求に多大な時間を費やすことがあった。
【００１５】
さらに、エレベータシステムの新規構築時におけるマスタ制御部１が実施するエレベータ制御の調整作業で行う伝送情報の設定の時に、設定状態を一目で確認することができないため、各スレーブ制御部３に係わるアドレス５とデータ８を一つずつ表示させて確認する手段しかなく、作業時間を費やしていた。
【００１６】
本発明はこのような事情に鑑みてなされたものであり、マスタ制御部と各スレーブ制御部との間で実施されるサイクリックなシリアル伝送における伝送路に流れる伝送シリアル信号の１サイクルに含まれる全てのスレーブ制御部の情報を取得でき、取得した全てのスレーブ制御部の情報を編集して一覧表示でき、異常発生箇所を短時間で検出でき、かつ異常原因を短時間で究明できる。さらに、エレベータシステムの新規構築時におけるエレベータ制御の調整を効率的に実施でき、エレベータの利用客に与える不便を極力抑制できるエレベータ伝送システムの情報モニタ装置を提供することを目的とする。
【課題を解決するための手段】
【００１７】
上記課題を解決するために、本発明は、少なくとも各エレベータのかごの昇降動作を制御するマスタ制御部と少なくとも乗場呼び又はかご呼びを制御する複数のスレーブ制御部とで構成され、マスタ制御部と各スレーブ制御部との間で伝送路を介して制御情報をサイクリックにシリアル伝送するエレベータ伝送システムの情報モニタ装置において、伝送路をサイクリックに伝送されるそれぞれのアドレスとデータとからなる各スレーブ制御部の情報を順次取込み、データ記憶部に全部のスレーブ制御部の情報をサイクル単位で、少なくとも１サイクル分記憶保持し、この記憶保持した各スレーブ制御部の情報を連続表示、ホールド表示の何れか１つの指定された方式で編集して出力する情報取得端末と、前記情報取得端末に編集方式を指定するとともに、前記情報取得端末から入力された１サイクルに含まれる全部のスレーブ制御部のアドレスとデータとからなる情報の一覧を表示部に表示出力する表示制御装置とを備えている。
を備えたことを特徴とするエレベータ伝送システムの情報モニタ装置。
【００１８】
このように構成されたエレベータ伝送システムの情報モニタ装置においては、情報取得端末は、伝送路をサイクリックに伝送される伝送シリアル信号の１サイクルに含まれる全部のスレーブ制御部のアドレスとデータとからなる情報を読取ってサイクル単位で記憶する。
【００１９】
そして、表示制御装置は、情報取得端末で取得された１サイクルに含まれる全部のスレーブ制御部のアドレスとデータとからなる情報の一覧を表示部に表示出力する。この場合、表示制御装置は１サイクルに含まれる全部のスレーブ制御部の情報の編集を指定できる。したがって、異常発生箇所を短時間で検出でき、かつ異常原因を短時間で究明できる。
【００２０】
また、別の発明は、上述した発明のエレベータ伝送システムの情報モニタ装置における表示制御装置は、連続表示による編集方式として、情報の取込開始と情報の取込停止とを前記情報取得端末へ送出し、情報の取込開始から情報の取込停止までの期間に、情報取得端末から順次入力される１サイクル毎の全部のスレーブ制御部のアドレスとデータとからなる情報を前記表示部に連続表示する。
【００２１】
このように構成されたエレベータ伝送システムの情報モニタ装置においては、操作者は、表示制御装置にて情報の取込開始を指示すると、情報取得端末から入力された１サイクル毎の全部のスレーブ制御部のアドレスとデータとからなる情報の一覧が表示部に表示されるが、この表示された情報の一覧は、１サイクルが経過する毎に最新の情報に更新される。そして、情報の取込停止が入力されると情報の更新は停止する。すなわち、各スレーブ制御部におけるデータの時間変化を観測できる。
【００２２】
また、別の発明は、上述した発明のエレベータ伝送システムの情報モニタ装置における表示制御装置は、ホールド表示による編集方式として、スレーブ制御部を特定する指定したアドレスに指定したデータが含まれるホールド条件を情報取得端末へ送出する。また、情報取得端末は、ホールド条件に一致するアドレスとデータとの組合せが含まれるサイクルの当該サイクルに含まれる全部のスレーブ制御部の情報を表示制御装置へ送出する。そして、表示制御装置は、情報取得端末から入力された指定したアドレスに指定したデータが含まれる１サイクルに含まれる全部のスレーブ制御部の情報の一覧を表示部にホールド表示出力する。
【００２３】
このように構成されたエレベータ伝送システムの情報モニタ装置においては、操作者が表示制御装置にて、例えば異常発生を想定した特定スレーブ制御部のアドレスと特定データとを組合せたホールド条件を指定すると、ホールド条件に一致するアドレスとデータとの組合せが含まれるサイクルの当該サイクルに含まれる全部のスレーブ制御部の情報の一覧が表示部にホールド表示出力される。したがって、特定スレーブ制御部が異常発生時における他のスレーブ制御部の状況を表示画面上で一瞥して把握できるので、異常原因を短時間で究明できる。
【００２４】
また、別の発明は、上述した発明のエレベータ伝送システムの情報モニタ装置における表示制御装置は、表示部に順次表示される１サイクル毎の全部のスレーブ制御部の情報の一覧からなる表示データを記憶する表示データ保存メモリと、操作指定されたサイクルの表示データを表示データ保存メモリから読出して表示部に再表示する表示データ再表示手段とを有する。
【００２５】
このように構成された情報モニタ装置においては、表示部に順次表示される１サイクル毎の全部のスレーブ制御部の情報の一覧からなる表示データは表示データ保存メモリに保存され、必要に応じて表示データ保存メモリから読出して再表示可能である。
【００２６】
また、別の発明は、上述した発明のエレベータ伝送システムの情報モニタ装置における情報取得端末は、伝送路から取込んだアドレスとデータからなるシリアルの情報をパラレルの情報に変換するシリアル／パラレル変換部と、このシリアル／パラレル変換部から出力された全部のスレーブ制御部のパラレルの情報をサイクル単位でデータ記憶部に書込むデータ書込部と、データ記憶部から読出した情報を表示制御装置が処理しやすいアスキーコードに変換する伝送データ生成部と、この伝送データ生成部でアスキーコードに変換された情報をシリアルの情報に変換して表示制御装置へ送出するパラレル／シリアル変換部とを有する。
【００２７】
このように構成された情報取得端末を採用することによって、この情報取得端末でデータ処理された情報が入力される表示制御装置のデータ処理負担を軽減できる。すなわち、情報取得端末は、結果的に、伝送路から入力された情報の伝送速度を表示制御装置が認識可能な伝送速度に速度変換する。よって、表示制御装置を高速処理可能な高価な装置でなくとも市販のパーソナルコンピュータで構成することが可能となる。
【発明の効果】
【００２８】
本発明においては、異常発生箇所を短時間で検出でき、かつ異常原因を短時間で究明できる。さらに、エレベータシステムの新規構築時におけるエレベータ制御の調整を効率的に実施でき、エレベータの利用客に与える不便を極力抑制できる。
【発明を実施するための最良の形態】
【００２９】
以下、本発明の一実施形態を図面を用いて説明する。
【００３０】
図１は本発明の一実施形態に係わるエレベータ伝送システムの情報モニタ装置の概略構成図である。図１２に示すエレベータ伝送システム４と同一部分には同一符号を付して重複する部分の詳細説明は省略する。
【００３１】
エレベータ伝送システム４は図１２に示すエレベータ伝送システム４とほぼ同一構成である。すなわち、マスタ制御部１には伝送路２を介して複数のスレーブ制御部３が接続されている。各スレーブ制御部３には、それぞれ固有のアドレス５が割付けられている。マスタ制御部１は、伝送路２に対して、図２に示すように１サイクル（１通信単位、周期Ｔ）内に、全てのスレーブ制御部３のアドレス５とデータ８とからなる情報７が時系列的に設定されている伝送シリアル信号６を出力する。
【００３２】
そして、各スレーブ制御部３は、伝送路２に出力された伝送シリアル信号６の自己のアドレス５に続くデータ領域のデータを自己宛のデータ８として取込む。さらに、各スレーブ制御部３は、マスタ制御部１にデータを送信する場合は、伝送シリアル信号６の自己のアドレス５に続くデータ領域に送信すべきデータ８を書込む。したがって、マスタ制御部１と各スレーブ制御部３とは、１サイクル（１通信単位、周期Ｔ）毎に、送受信するデータ８を更新できる。
【００３３】
このようなエレベータ伝送システム４の伝送路２上に出力された伝送シリアル信号６をモニタする情報モニタ装置１８が設けられている。伝送路２にプローブ１１を介して情報取得端末１５が接続されている。この情報取得端末１５は、伝送路２をサイクリックに伝送される伝送シリアル信号６におけるアドレス５とデータ８とからなる各スレーブ制御部３の情報７を順次取込み、データ記憶部としての図３に示すデータテーブル２５に全部のスレーブ制御部３の情報７をサイクル単位で、少なくとも１サイクル分記憶保持する。そして、情報取得端末１５は記憶保持した各スレーブ制御部３の情報７を表示制御装置１７で指定された方式に編集して信号線１６を介して表示制御装置１７へ送出する。
【００３４】
例えば、パーソナルコンピュータで構成された表示制御装置１７は、情報取得端末１５から信号線１６を介して入力された１サイクルに含まれる全部のスレーブ制御部３のアドレス５とデータ８とからなる情報７の一覧を表示部１９に表示出力する。なお、表示制御装置１７の前面にはキーボードからなる操作部２０が設けられている。したがって、情報取得端末１５と表示制御装置１７とはエレベータ伝送システム４に対する情報モニタ装置１８を構成する。
【００３５】
図３は、例えば小型コンピュータからなる情報取得端末１５の概略構成を示すブロック図である。
【００３６】
エレベータ伝送システム４の伝送路２に取付けたプローブ１１から入力した図２に示すＲＳ４８５規格の伝送方式のシリアル信号からなる伝送シリアル信号６は、ＲＳ４８５規格の伝送ドライバＩＣ２１で受信されて、ＣＰＵ処理内部２２のシリアル／パラレル変換部２３へ入力される。シリアル／パラレル変換部２３は、シリアル信号からなる伝送シリアル信号６を、ＣＰＵが理解できるアドレス／データの体系の例えば１６ビット等の複数ビットからなるパラレル信号に変換する。すなわち、伝送シリアル信号６におけるアドレス５及びデータ８はそれぞれ１６ビットのデータとなる。
【００３７】
シリアル／パラレル変換部２３から出力されたパラレルの各スレーブ制御部３の［アドレス５、データ８］はデータテーブル生成部２４にて、データ記憶部としてのデータテーブル２５に書込まれる。
【００３８】
このデータテーブル２５は、例えば、図４に示すように、［０００］Ｈ〜［０２７７］Ｈの合計４０の各スレーブ制御部３の各アドレス５に対してデータ８が書込まれる。図４の例では、［００１］Ｈのアドレス５に［ＡＡ］Ｈのデータ８が書込まれる。なお、３番目のスレーブ制御部３は伝送路２に接続されていないので、［００３］Ｈのアドレス５にデータ８は書込まれていない。
【００３９】
なお、スレーブ制御部３が設定されていない予備のアドレス［００６］Ｈ〜［０２７７］Ｈには当然データ８は書込まれない。データテーブル生成部２４は伝送シリアル信号６における１サイクル分の全部のスレーブ制御部３のデータ８のデータテーブル２５に対する書込が終了すると、データテーブル２５の各データ８を次のサイクルの各データ８で更新する。すなわち、データテーブル２５には、常時、最新の１サイクルの各データ８が記憶保持されている。データテーブル２５に記憶保持された最新の１サイクルの各スレーブ制御部３のデータ８は伝送データ作成部２６へ入力される。
【００４０】
さらに、シリアル／パラレル変換部２３から出力されたパラレルの各スレーブ制御部３の［アドレス５、データ８］の情報７はエラー検出部２７へ入力される。エラー検出部２７は、各スレーブ制御部３における伝送異常、プロコトル異常、アドレスの有無、データの有無を検出して、これらの異常をコード化し、データコードテーブル生成部２８へ送出する。データコードテーブル生成部２８は、各スレーブ制御部３のアドレス５に発生した異常コード＃１、＃２、…、を図５に示すデータコードテーブル２９に書込む。
【００４１】
データテーブル２５と同様に、データコードテーブル２９には、常時、最新の１サイクルの各異常コード３０が記憶保持されている。データコードテーブル２９に記憶保持された最新の１サイクルの各スレーブ制御部３の異常コード３０は伝送データ作成部２６へ入力される。
【００４２】
したがって、伝送データ作成部２６は、データテーブル２５とデータコードテーブル２９とで、全てのアドレス５に対するデータ値、及び、そのデータの有無、異常の有無が判断できる。伝送路上に存在しないアドレスも認識可能である。
【００４３】
信号線１６を介して表示制御装置１７から入力されたシリアル信号からなる編集方式の指示信号は、ＲＳ２３２Ｃ規格の伝送ドライバＩＣ３１で受信され、シリアル／パラレル変換部３２でパラレルの編集方式の指示信号に変換されて、編集方式指示部３３へ入力される。
【００４４】
編集方式指示部３３は、表示制御装置１７から指定された編集方式を伝送データ生成部２６へ指示する。この実施形態においては、編集方式として、「連続表示」方式と、「ホールド表示」方式とが選択可能である。「連続表示」方式は、伝送シリアル信号６における情報７の取込開始（通信開始）指示から情報７の取込停止（通信中止）までの期間に、１サイクルに含まれる全部のスレーブ制御部３のアドレス５とデータ８とからなる情報７を、１サイクル経過する毎に、表示制御装置１７へ送信して表示部１９に表示する編集方式である。
【００４５】
一方、「ホールド表示」方式は、スレーブ制御部３を指定したアドレス５に指定したデータ８が含まれるホールド条件［アドレス５＋データ８］に一致するアドレス５とデータ８との組合せが含まれる伝送シリアル信号６におけるサイクルを検出して、この検出した当該サイクルに含まれる全部のスレーブ制御部３の情報７を表示制御装置１７へ送信して表示部１９に表示する編集方式である。
【００４６】
伝送データ生成部２６は、編集方式指示部３３で指定された「連続表示」方式又は「ホールド表示」方式に従って入力されたデータテーブル２５及びデータコードテーブル２９を用いて、上述した「連続表示」方式又は「ホールド表示」方式に合致する１サイクルに含まれる全部のスレーブ制御部３の情報７の一覧を、表示制御装置１７が理解しやすいアスキーコードを用いて作成して、パラレル／シリアル変換部３４へ送出する。
【００４７】
パラレル／シリアル変換部３４は、伝送データ生成部２６で作成された１サイクルに含まれる「連続表示」方式又は「ホールド表示」方式の情報７の一覧を、シリアル信号に変換して、伝送ドライバＩＣ３１、信号線１６を介して、表示制御装置１７へ送信する。なお、表示制御装置１７へ送信される「連続表示」方式又は「ホールド表示」方式に含まれる各情報７にはデータ８の他に前述した各異常コード３０も含まれる。
【００４８】
図６は例えばパーソナルコンピュータで構成された表示制御装置１７の概略構成を示すブロック図である。
【００４９】
この表示制御装置１７内には、信号線１６を介して情報取得端末１５との間でシリアル信号の授受を行うための伝送ドライバＩＣ３５、受信したシリアル信号をパラレル信号に変換するシリアル／パラレル変化部３６、自己の表示制御装置１７から情報取得端末１５に送信すべき編集方式の指示をシリアル信号に変換するパラレル／シリアル変換部３７、表示部１９、操作部２０、表示画面メモリ３８、データ表示定義テーブル３９、及び表示データ保存メモリ４０が設けられている。
【００５０】
表示画面メモリ３８内には、表示部１９に表示される図７に示す新規データ表示画面３８ａと、表示部１９に表示される図９に示すデータ再表示画面３８ｂとが記憶されている。
【００５１】
図７の新規データ表示画面３８ａにおいては、情報取得端末１５のデータテーブル２５とほぼ同一構成の伝送データテーブル４１、「連続表示」方式採用時におけるデータ取得開始を指示するための通信開始釦４３ａ、「連続表示」方式採用時におけるデータ取得中止を指示するための通信停止釦４３ｂ、「連続表示」方式採用時における、１つのサイクルのデータ一覧の情報取得端末１５からの通信動作中に点灯する通信中ランプ４２ａ、１つのサイクルのデータ一覧の表示部１９に対する表示動作中は点灯する表示中ランプ４２ｂが設けられている。
【００５２】
さらに、新規データ表示画面３８ａには、「ホールド表示」方式採用時におけるホールド条件の検索開始を示す通信開始釦４４、アドレス５とデータ８とからなるホールド条件を操作者が操作入力するためのホールド条件入力部４５ａ、データマスク値入力部４５ｂが設けられている。
【００５３】
データマスク値入力部４５ｂは、ホールド条件のデータ８値がバイトデータでの判定しかできないのを、データ８のマスクによりビットデータでの判定も可能とした。例えば、データ８の０ビット目が１になった時にホールドしたい場合、データ値に［０１］Ｈ、データマスク値に［０１］Ｈを入力する。このように設定すると、情報取得端末１５の伝送データ生成部２６は、そのマスク値の設定した値以外のビット判定は無視し、この場合、データ８の０ビット目のみ判定することができる。
【００５４】
伝送データテーブル４１における［０００］Ｈ〜［０２７］Ｈの各アドレス５のデータ領域４６に書込まれるデータ８、エラーの状態コードは、図８に示すデータ表示定義テーブル３９の定義に従う。
【００５５】
アドレス５に対して正しいデータ８が存在する場合は、［ＡＡ］Ｈ、［ＢＢ］Ｈのような１６進数（［００］Ｈ〜［ＦＦ］Ｈ）のデータ８が対応するデータ領域４６に表示される。
【００５６】
図２の伝送シリアル信号６の３番目の情報７のように、アドレス［００３］Ｈは存在するが、データ８が存在しない場合に、データ８が存在しないことを示す「・・」の記号を対応するデータ領域４６に表示される。
【００５７】
図２の伝送シリアル信号６において元々存在しないアドレス５のデータ領域４６には、「 」記号を表示する。
【００５８】
データの受信異常やプロコトル異常が生じた場合、その異常（エラー）が発生したアドレス５に対して、そのデータ領域４６に「＃＃」の記号を表示する。
【００５９】
「連続表示」方式採用時において、各アドレス５のデータ領域４６のデータ８が逐次更新して表示している時であって、前のサイクルのデータと異なる場合に、作業者が認識しやすくする為、その表示データが変化したことを視覚的に強調させ、表示データの色を黒色から赤色に変えて表示する。
【００６０】
さらに、各アドレス５のデータ８の値の殆どが［００］Ｈであり、［００］Ｈ以外のデータ値が着目しにくいために、［００］Ｈ以外のデータ表示は、表示文字を太文字で行っている。
【００６１】
図６の表示データ保存メモリ４０には、前述した「連続表示」方式、「ホールド表示」方式でもって表示部１９に表示された各１サイクル毎の図７で示す伝送データテーブル４１の表示データが時系列的に表示データ番号を付されて記憶されている。
【００６２】
そして、図９に示すデータ再表示画面３８ｂにおいては、操作者がマウスでノブ４６を移動操作することによって指定された表示データ番号４７、表示データ保存メモリ４０内から読出された表示データ番号４７の伝送データテーブル４１の表示データが表示される。なお、この実施形態においては、表示データ保存メモリ４０内には、１番からｎ番の伝送データテーブル４１のｎ個の表示データが記憶されている。
【００６３】
次に、図６の表示制御装置１７のアプリケーションプログラム上に形成された各部の動作を順番に説明していく。信号データ取込指示部５０は、表示部１９に新規データ表示画面３８ａが表示された状態で、通信開始釦４３ａが押されると、パラレル／シリアル変換部３７、伝送ドライバＩＣ３５、信号線１６を介して情報取得端末１５へ「連続表示」方式におけるデータ取得開始指示を送信する。
【００６４】
連続データ受信部５１は、情報取得端末１５から信号線１６、伝送ドライバＩＣ３５、シリアル／セリアル変換部２６を介して、１サイクル経過する毎に、１サイクルに含まれる全部のスレーブ制御部３のアドレス５とデータ８とからなる情報７を受信して、連続データ表示出力部５２へ送出する。連続データ表示出力部５２は、１サイクル経過する毎に入力される１サイクルに含まれる全部のスレーブ制御部３の情報７の一覧を図７に示す新規データ表示画面３８ａの伝送データテーブル４１内の各データ領域４６に、図８に示すデータ表示定義テーブル３９の示す定義に従って表示する。連続データ表示出力部５２は、同時に、表示された伝送データテーブル４１の表示データを、表示データ番号を付して表示データ保存メモリ４０へ記憶保持する。
【００６５】
そして、信号データ取込停止指示部５３は、表示部１９に新規データ表示画面３８ａが表示された状態で、通信停止釦４３ｂが押されると、パラレル／シリアル変換部３７、伝送ドライバＩＣ３５、信号線１６を介して情報取得端末１５へ「連続表示」方式におけるデータ取得停止を送信する。その結果、情報取得端末１５からの全部のスレーブ制御部３の情報７の送信が停止する。
【００６６】
ホールド条件指定部５４は、表示部１９に新規データ表示画面３８ａが表示された状態で、操作者が「ホールド表示」方式採用時にホールド条件入力部４５ａにアドレス５とデータ８とからなるホールド条件を操作入力し、通信開始釦４４を押すと、［アドレス５＋データ８］のホールド条件をパラレル／シリアル変換部３７、伝送ドライバＩＣ３５、信号線１６を介して情報取得端末１５へ送信する。
【００６７】
条件一致時全信号データ受信部５５は、情報取得端末１５からホールド条件［アドレス５＋データ８］に一致するアドレス５とデータ８との組合せが含まれる伝送シリアル信号６におけるサイクルに含まれる全部のスレーブ制御部３の情報７を受信すると、この受信した情報７を条件一致信号データ表示出力部５６へ送出する。条件一致信号データ表示出力部５６は、入力された１サイクルに含まれる全部のスレーブ制御部３の情報７の一覧を図７に示す新規データ表示画面３８ａの伝送データテーブル４１内の各データ領域４６に、図８に示すデータ表示定義テーブル３９の示す定義に従って表示する。
【００６８】
さらに、条件一致信号データ表示出力部５６は、同時に、表示された伝送データテーブル４１の表示データを表示データ番号を付して表示データ保存メモリ４０へ記憶保持する。
【００６９】
なお、続いて、通信開始釦４４を押すと、同一ホールド条件が再度、情報取得端末１５へ送信される。したがって、通信開始釦４４を繰り返し押すことによって、同一ホールド条件の複数の伝送データテーブル４１の表示データを表示でき、かつ表示データ保存メモリ４０へ記憶保持することが可能となる。
【００７０】
なお、表示データ保存メモリ４０も、一定の限界記憶容量を有しているので、残り記憶容量が無くなると、古い表示データがクリアされる。したがって、この表示データ保存メモリ４０内には、常時、最新のｎ個の伝送データテーブル４１の表示データが記憶されている。
【００７１】
表示データ選択部５７は、表示部１９に図９に示すデータ再表示画面３８ｂが表示された状態において、操作者にて表示データ番号が指定されると、この指定された表示データ番号を保存データ表示出力部５８へ送出する。保存データ表示出力部５８は、表示データ保存メモリ４０から指定された表示データ番号の伝送データテーブル４１の表示データを読出して、図９に示すデータ再表示画面３８ｂに表示出力する。
【００７２】
図１０は、このように構成された情報モニタ装置１８において、編集方式として「連続表示」方式が指定された状態における情報取得端末１５と表示制御装置１７との間の情報交換を示すシーケンス図である。
【００７３】
先ず、図６の信号データ取込指示部５０が起動して、表示制御装置１７において、図７に示す新規データ表示画面３８ａ画面上の通信開始釦４３ａの釦操作により、通信開始が実行され（ステップＳ１）、連続表示の送信要求指示（Ｓ２）で送信要求を情報取得端末１５に送信する（Ｓ３）。
【００７４】
情報取得端末１５において、その連続表示の送信要求指示に従って、伝送データ生成２６でデータテーブル２５、データコードテーブル２９内の全ての情報７を表示制御装置１７に送るためにアスキーコードに変換する（Ｓ４）。変換後に１サイクルの全部のスレーブ端末３の情報（アドレス５、データ８）７を表示制御装置１７に送信する（Ｓ５）。
【００７５】
表示制御装置１７はその１サイクル分の情報（アドレス５、データ８）７を連続データ受信部５１で受信し（Ｓ６）、連続データ表示出力部５２で表示部１９に伝送データテーブル４１として表示部１９に表示する（Ｓ７）。
【００７６】
通信停止釦４３ｂが操作なしの場合（Ｓ８ａ）、再び、連続表示の送信要求指示（Ｓ２）で送信要求を情報取得端末１５に送信する（Ｓ３）。繰返し行われるデータの送信要求とデータの表示に対して、画面更新する際に、表示データ保存メモリ４０に過去の表示データを格納する（Ｓ８ｂ）。
【００７７】
そして、送信停止釦４３ｂが操作されると（Ｓ８ｃ）、情報取得端末１５に対する「連続表示」方式を指定した通信を終了する（Ｓ９）。
【００７８】
したがって、操作者は、表示制御装置１７において、編集方式として「連続表示」方式を指定することにより、常時、エレベータ伝送システム４における伝送路２上を伝送される伝送シリアル信号６の１サイクルに含まれる全てのスレーブ制御部３のアドレス５とデータ８との情報７を表示制御装置１７の表示部１９に表示された図７に示す伝送データテーブル４１にて即座に確認できる。
【００７９】
それにより、例えば、エレベータ伝送システム４を新たに構築して、制御情報を調整する場合、従来装置においては、操作者が、各スレーブ制御部３のデータ８を確認し時間がかかっていたのが、実施形態の情報モニタ装置１８においては、それらの各データ８を一目で確認できるので、調整時や故障究明時では伝送確認時間の短縮ができ、作業の効率化や長時間の故障停止を防ぐことが可能である。
【００８０】
図１１は、情報モニタ装置１８において、編集方式として「ホールド表示」方式が指定された状態における情報取得端末１５と表示制御装置１７との間の情報交換を示すシーケンス図である。
【００８１】
先ず、図６のホールド条件指定部５４が起動して、表示制御装置１７における図７の新規データ表示画面３８ａにおけるホールド条件入力部４５ａに操作者にてアドレス５とデータ８とからなるホールド条件が入力されると（ステップＲ１）、「ホールド表示」方式の情報取得端末１５との間の通信を開始する（Ｒ２）。通信開始釦４４が押されると（Ｒ３）、この「ホールド表示」方式の編集方式（コード）を情報取得端末１５へ送信する（Ｒ４）。さらに、アドレス５とデータ８とからなるホールド条件（ホールドデータ）を情報取得端末１５へ送信する（Ｒ５）。
【００８２】
情報取得端末１５の編集方式指示部３３は、伝送データ生成部２６に対して、ホールド条件を指定した「ホールド表示」方式の編集方式を指示する（Ｒ６）。
【００８３】
そして、表示制御装置１７において、通信開始釦４４の操作により送信要求が実施され（Ｒ７）、情報取得端末１５へ「ホールド表示」方式の編集結果の送信要求が送信する（Ｒ８）。
【００８４】
情報取得端末１５の伝送データ生成部２６は、スレーブ制御部３を指定したアドレス５に指定したデータ８が含まれるホールド条件［アドレス５＋データ８］に一致するアドレス５とデータ８との組合せが含まれる伝送シリアル信号６におけるサイクルを検出して（Ｒ９）、この当該サイクルに含まれる全部のスレーブ制御部３の情報７を表示制御装置１７へ送信する（Ｒ１０、Ｒ１２）。より具体的には、該当サイクルに含まれる全部のスレーブ制御部３の情報７（データ）を表示制御装置１７へ送信し（Ｒ１０）、ホールド条件［アドレス５＋データ８］有りのコードを生成し（Ｒ１１）、このコードを情報取得端末１５へ送出する（Ｒ１２）。
【００８５】
表示制御部１７の図６の条件一致全信号データ受信部５５は、該当サイクルに含まれる全部のスレーブ制御部３の情報７（データ）を受信し（Ｒ１３）、ホールド条件［アドレス５＋データ８］有りのコードを受信すると（Ｒ１４）、条件一致全信号データ表示出力部５６がこのホールド条件［アドレス５＋データ８］を満たす１つのサイクルに含まれる全部のスレーブ制御部３の情報７（データ）を図７に示す伝送データテーブル４１として表示部１９に表示する（Ｒ１５）。
【００８６】
そして、このホールド条件［アドレス５＋データ８］を満たす伝送データテーブル４１の表示データを表示データ保存メモリ４０へ書込む（Ｒ１６）。
【００８７】
そして、同一のホールド条件で再度エレベータ伝送システム４の伝送シリアル信号６を検索する場合は（Ｒ１７ａ）、再度、通信開始釦４４を押す。通信開始釦４４が押さなければ（Ｒ１７ｂ）、情報取得端末１５に対する「ホールド表示」方式を指定した通信を終了する（Ｒ１８）。
【００８８】
なお、図１１においては、情報取得端末１５の伝送データ生成部２６は、ホールド条件［アドレス５＋データ８］を満たすサイクルに含まれる全部のスレーブ制御部３の情報７を表示制御装置１７へ送付したが、全サイクルのデータを送信して、同時に全サイクルのホールド条件を満たすか否かのホールド有無情報を表示制御装置１７へ送付してもよい。この場合は、表示部１９に表示データとともにホールド有無情報を順次表示していき、ホールド条件が成立した時点で表示を停止させてもよい。
【００８９】
したがって、操作者は、表示制御装置１７において、編集方式として「ホールド表示」方式を指定することにより、例えば異常発生を想定した特定スレーブ制御部３のアドレス５と特定データ８とを組合せたホールド条件を指定すると、このホールド条件が情報取得端末１５へ送信される。そして、この情報取得端末１５において、このホールド条件一致するアドレス５とデータ８との組合せが含まれるサイクルの当該サイクルに含まれる全部のスレーブ制御部３の情報７の一覧が表示制御装置１７に送信される。
【００９０】
そして、表示制御装置１７の表示部１９に図７に示す伝送データテーブル４１として表示出力される。したがって、特定スレーブ制御部３が異常発生時における他のスレーブ制御部３の状況を表示画面上で一瞥して把握できるので、異常原因を短時間で究明できる。
【００９１】
また、各サイクルの表示データを表示データ保存メモリ４０に時系列的に記憶保持し、必要に応じて、過去の表示データを表示部１９に再表示可能としている。したがって、故障原因を追求する場合、故障の状況に応じた伝送データ８に着目し、そのデータ８及びアドレス５をホールド条件として設定することで、その着目しているデータ値と一致した時点から過去のデータまで作業員が見ることができる。それにより、解明困難な故障原因が解明できる。
【００９２】
さらに、情報取得端末１５をプローブ１１を用いてエレベータ伝送システム４の伝送線２に繋ぐだけで、伝送路２上の通信シリアル信号６の状態が全て確認できる。エレベータの制御盤に対してソフト加工やソフト変更を行わないでよい。
【００９３】
なお、本発明は上述した実施形態に限定されるものではない。例えば、表示データ保存メモリ４０に表示データを日時／時間データを添付して記憶することにより、どの時点でホールド条件が動作したかを確認することが出来る。
【００９４】
今回、記載したホールド付き連続表示は、１回のホールド条件で表示を停止しているが、連続したホールド条件を設けて、複数回に渡ってデータの保存を行う機能を有すると、原因不明の故障解明の伝送データの追求が可能である。
【００９５】
また、逆に、設定したデータ（アドレス５、データ８）と一致しない時にホールド動作するホールド付き連続表示機能を有すれば、一定値である真値が異なる値になった時にホールド表示する。それにより、故障解明することが出来る。
【００９６】
また、ホールド付き連続表示においてホールド値で表示を停止するがその後の伝送データをある時間、表示データ保存メモリ４０に保存することで、ホールドの前後の伝送データが確認可能となる。
【図面の簡単な説明】
【００９７】
【図１】本発明の一実施形態に係わるエレベータ伝送システムの情報モニタ装置の概略構成図
【図２】エレベータ伝送システムの伝送路を流れる伝送シリアル信号を示す図
【図３】同実施形態の情報モニタ装置に組込まれた情報取得端末の詳細構成を示すブロック図
【図４】同実施形態の情報取得端末内に設けられたデータテーブルの記憶内容を示す図
【図５】同実施形態の情報取得端末内に設けられたデータコードテーブルの記憶内容を示す図
【図６】同実施形態の情報モニタ装置に組込まれた表示制御装置の詳細構成を示すブロック図
【図７】同実施形態の表示制御装置の表示部に表示された新規データ表示画面の表示内容を示す図
【図８】同実施形態の表示制御装置に設けられたデータ表示定義テーブルの記憶内容を示す図
【図９】同実施形態の表示制御装置の表示部に表示されたデータ再表示画面の表示内容を示す図
【図１０】同実施形態の情報モニタ装置における「連続表示」方式が指定された状態における情報取得端末と表示制御装置との間の情報交換を示すシーケンス図
【図１１】同実施形態の情報モニタ装置における「ホールド表示」方式が指定された状態における情報取得端末と表示制御装置との間の情報交換を示すシーケンス図
【図１２】一般的なエレベータ伝送システムの模式図
【図１３】エレベータ伝送システムの伝送路を流れる伝送シリアル信号を示す図
【図１４】従来の情報モニタ装置の概略構成を示す模式図
【図１５】同従来の情報モニタ装置における伝送シリアル信号に対するデータ取得の説明図
【符号の説明】
【００９８】
１…マスタ制御部、２…伝送路、３…スレーブ制御部、４…エレベータ伝送システム、５…アドレス、６…伝送シリアル信号、７…情報、８…データ、１１…プローブ、１５…情報取得端末、１６…信号線、１７…表示制御装置、１８…情報モニタ装置、１９…表示部、２０…操作部、２１，３１，３５…伝送ドライバＩＣ、２３，３２，３６…シリアル／パラレル変換部、２４…データテーブル生成部、２５…データテーブル、２６…伝送データ生成部、２７…エラー検出部、２８…データコードテーブル生成部、２９…データコードテーブル、３３…編集方式指示部、３４，３７…パラレル／シリアル変換部、３８…表示画面メモリ、３９…データ表示定義テーブル、４０…表示データ保存メモリ、４１…伝送データテーブル、４３ａ…通信開始釦、４３ｂ…通信停止釦、４４…通信開始釦、４５ａ…ホールド条件入力部、４５ｂ…データマスク値入力部、４６…データ領域、４７…表示データ番号、５０…信号データ取込指示部、５１…連続データ受信部、５２…連続データ表示出力部、５３…信号データ取込停止指示部、５４…ホールド条件指定部、５５…条件一致時全信号データ受信部、５６…条件一致信号データ表示出力部、５７…表示データ選択部、５８…保存データ表示出力部
【図１】
0004750513.tif 000002
【図２】
0004750513.tif 000003
【図３】
0004750513.tif 000004
【図４】
0004750513.tif 000005
【図５】
0004750513.tif 000006
【図６】
0004750513.tif 000007
【図７】
0004750513.tif 000008
【図８】
0004750513.tif 000009
【図９】
0004750513.tif 000010
【図１０】
0004750513.tif 000011
【図１１】
0004750513.tif 000012
【図１２】
0004750513.tif 000013
【図１３】
0004750513.tif 000014
【図１４】
0004750513.tif 000015
【図１５】
0004750513.tif 000016